(57)【特許請求の範囲】
【請求項１】
下水道用マンホールの蓋と類似の外形で該蓋と交換可能なステップ板を設け、該ステップ板の中央に孔を設けるとともに該孔を開閉するスライド板を設け、該スライド板を案内するレールを前記ステップ板の中央の孔に向けて突出するように設け、前記ステップ板の外周に、該ステップ板の上方空間を取り囲む壁体とその一部を開閉するドアとを設けたことを特徴とする災害用仮設トイレ。
【請求項２】
下水道用マンホールの蓋と類似の外形で該蓋と交換可能なステップ板を設け、該ステップ板の中央に孔を設けるとともに該孔を開閉するスライド板を設け、該スライド板を案内するレールを前記ステップ板の中央の孔に向けて突出するように設け、前記ステップ板の外周に、該ステップ板の上方空間を取り囲む壁体とその上部を閉塞する屋根とを、内部に気体を充填することによって所定の形状となる袋体で形成し、その一部にドアを設けたことを特徴とする災害用仮設トイレ。
【請求項３】
下水道用マンホールの蓋と類似の外形で該蓋と交換可能なステップ板を設け、該ステップ板の中央に孔を設けるとともに該孔を開閉するスライド板を設け、該スライド板を案内するレールを前記ステップ板の中央の孔に向けて突出するように設け、前記ステップ板とその上方空間を取り囲む壁体とを、合成樹脂で平面視半円形の形状に一体成形したものを２枚接合して平面視円形に形成し、その一方にドアを設けるとともに、前記壁体の上方に屋根を取付けたこたことを特徴とする災害用仮設トイレ。
【発明の詳細な説明】
【０００１】
【発明の属する技術分野】
本発明は、地震や大火災、山の噴火等の災害時に緊急用に使用する災害用仮設トイレに関するものである。
【０００２】
【従来の技術】
上記のような災害があったときには、民家が崩壊あるいは類焼し、住居としての機能を損なうことになるが、そこまでには至らない軽微な損傷の場合でも、上水と下水の確保が困難になるケースが多い。下水のうち、とりわけトイレが使用不能となることは阪神・淡路大震災の際に経験されており、災害に備えて日常からその対策を立てておくことが重要である。
【０００３】
【発明が解決しようとする課題】
そこで案出され、実用化されたものとして、下水道用マンホールの蓋と類似の外形で、この蓋と交換可能なステップ板を設け、その中央に孔を設けたものを製作し、災害時にはこれをマンホールの蓋と交換してその孔に排便するようにしたものがある。この装置では、使用時に簡易テントを張って外部から見えないようにするが、ステップ板と簡易テントとの間に一体性がないことから、その設置が煩雑であり、また風に吹かれたときの対策などに改良すべき問題が残されていた。
【０００４】
本発明はこの点に鑑みてなされたものであり、使用性を著しく高めるとともに、保管性や運搬性にも優れた災害用仮設トイレを提供しようとするものである。
【０００５】
【課題を解決するための手段】
本発明は、上記課題を解決するための手段として、請求項１に記載された発明においては、下水道用マンホールの蓋と類似の外形で該蓋と交換可能なステップ板を設け、該ステップ板の中央に孔を設けるとともに該孔を開閉するスライド板を設け、該スライド板を案内するレールを前記ステップ板の中央の孔に向けて突出するように設け、前記ステップ板の外周に、該ステップ板の上方空間を取り囲む壁体とその一部を開閉するドアとを設けたことを特徴とする。
【０００６】
また請求項２に記載された発明においては、下水道用マンホールの蓋と類似の外形で該蓋と交換可能なステップ板を設け、該ステップ板の中央に孔を設けるとともに該孔を開閉するスライド板を設け、該スライド板を案内するレールを前記ステップ板の中央の孔に向けて突出するように設け、前記ステップ板の外周に、該ステップ板の上方空間を取り囲む壁体とその上部を閉塞する屋根とを、内部に気体を充填することによって所定の形状となる袋体で形成し、その一部にドアを設けたことを特徴とする。
【０００７】
また請求項３に記載された発明においては、下水道用マンホールの蓋と類似の外形で該蓋と交換可能なステップ板を設け、該ステップ板の中央に孔を設けるとともに該孔を開閉するスライド板を設け、該スライド板を案内するレールを前記ステップ板の中央の孔に向けて突出するように設け、前記ステップ板とその上方空間を取り囲む壁体とを、
合成樹脂で平面視半円形の形状に一体成形したものを２枚接合して平面視円形に形成し、その一方にドアを設けるとともに、前記壁体の上方に屋根を取付けたことを特徴とする。
【０００８】
このような構成とした災害用仮設トイレでは、災害で通常のトイレが使用不能となったとき、マンホールの蓋を除去して開口したところにステップ板を置き、足でスライド板を動かして排便に適した状態にする。使用後はスライド板を元の位置に戻すことにより臭気を断つ。そして壁体と屋根とを気体を充填して膨らますものでは、自転車用の空気入れ等で膨らます。ステップ板と壁体を合成樹脂で一体成形したものでは組み立てて使用する。
【０００９】
【発明の実施の形態】
以下、本発明の実施の形態を図について説明する。図１に示す災害用仮設トイレ（以下、トイレという）１は、下水道用マンホールの蓋と類似の外形で外径寸法がやや大きく形成されているステップ板２と、その上方に立設された壁体３、壁体３の一部に取付けられたドア４および屋根５で概略構成される。壁体３と屋根５は、図２に示す概念図のように、気体の充填で所定の形状となるものである。ステップ板２は合成樹脂で製作されており、図４に示すように平面視半円形をしている。そしてこれを２個を突き合わすことによって円形を形成するようになっている。
【００１０】
図３に示すマンホール６の開口部６ａ（６ｂ）の寸法は、規格により直径６０ｃｍ（６ａ）と９０ｃｍ（６ｂ）の２種がある。本発明に係るトイレ１のステップ板２は、そのどちらの大きさにも対応するように、図３に示すように十分な大きさ（円環部の幅）となっている。そしてこのステップ板２は、外周部分に放射状に複数個設けられた孔７にボルト８（図３参照）を挿通し、このボルト８を地面９に埋め込まれたねじ部材１０に螺合することによって地面９に固定される。なお、ステップ板２の裏面には突条１１が形成されており、直径６０ｃｍの開口部６ａに係合して位置ずれが生じないようにしてある。
【００１１】
図４に示すように、ステップ板２の中央には略長方形の孔１２が設けられている。この孔１２は、このトイレ１を使用する者が跨いでその中に排便するものであるから、一般的な和式のトイレの凹部と同程度の大きさになっている。そしてこの孔１２の上部には、図４に示すように左右に開くことができるスライド板１３が設けられている。スライド板１３は、使用者が足で開閉できる程度の軽さにする。
【００１２】
図５についてスライド板１３の構造を説明する。なお、他の図においてもスライド板１３が表れている部分には同一の符号を付す。スライド板１３の裏面には２本のコ字状の溝（アリ溝であってもよい）１３ａが平行に設けられており、両端がステップ板２に固定されたレール（溝１３ａがアリ溝の場合にはそれに合った形状のレール）１４に滑動自在に嵌合している。これによりスライド板１３はレール１４に沿って移動する。なお、レール１４は、図４に示すように孔１２の中央に向けて突出している。
【００１３】
スライド板１３の表面には足掛け用の突条１５が取付けられており、使用者がこれに足を掛けて左方あるいは右方に力を入れることにより、スライド板１３の開閉ができるようになっている。この突条１５は、図示する例では２枚のスライド板１３に各１個設けられているが、１枚のスライド板１３の左右端部に１個ずつ、全体で４個設けてもよい。なお、スライド板１３を足で開くときに滑らないように、ステップ板２の表面には、凹凸の滑り止め１６が一面に形成されている（図４に一部のみ図示）。
【００１４】
次に、ステップ板２の上部に設けられる壁体３の説明をする。壁体３は上方の屋根５と一体にゴム等の袋体で形成されており、図示しない注入口から内部に気体を充填することによって膨らんで所定の形状となるものである。壁体３の下部には外周に突出するフランジ部３ｂが設けられており、このフランジ部３ｂをステップ板２の上に置き、さらにその上に固定板１７を重ねてボルト８で固定することにより、ステップ板２とともに地面９に固定される。
【００１５】
壁体３の一部にはドア４を取付けるための大きな孔１８が設けられており、この孔１８に、サッシュ１９が嵌め込まれている。ドア４は、図示しないヒンジにより、このサッシュ１９に開閉自在に支持される。また壁体３の孔１９を避けた位置には空気抜きを取付けるための小さな孔２０が設けられており、この孔２０に、図６に示すような形状の空気抜き２１が嵌合によって取付けられる。
【００１６】
このような構成からなるこのトイレ１は、被災したときのような非常時にマンホールに設置して使用する。設置するときには、マンホールに設けられている既存の蓋を取り除き、これに代えて２枚のステップ板２を向き合わせに置く。そしてステップ板２の孔７に通したボルト８をねじ部材１０に螺合して壁体３のフランジ部３ｂとともに固定する。この固定のために、ねじ部材１０を地面９にあらかじめ埋め込んでおくのがよい。前述したようにステップ板２は平面視弧状に形成されているので、これを接合すると円弧になる。
【００１７】
壁体３と屋根５とは、収納時には気体が充填されていないので収納容積が小さい。これを使用するときには、自転車の空気入れ等によって空気を充填して所定の形状にするが、気体としてはこのほかボンベに充填された他のガスを用いてもよい。いずれにしても下部のフランジ部３ｂを固定する段階で気体を充填し、ドア４と空気抜き２１を取付ける。これにより組立てが終了する。
【００１８】
このトイレ１を使用するときには、ドア４を開いて内部に入り、足を突条１５に掛けてスライド板１３を両側に移動させる。これにより、孔１２が現れるので、その孔１２内に排便する。終わったらスライド板１３を元の位置に戻して孔１２を閉じれば臭気を遮断すことができる。
【００１９】
図７に示すものは本発明の実施の形態の他の例である。この場合には、屋根５のみを気体の充填で所定の形状となる袋体で形成し、壁体３はステップ板２と一体に合成樹脂で形成してある。壁体３には大きな孔１８が設けられ、この孔１８に、サッシュ１９を介してドア４が支持されているが、サッシュ１９を介さずに、壁体３に直接ドア４を取付けるようにしてもよい。
【００２０】
この実施の形態における壁体３は、図８に示すようにステップ板２と一体に形成された平面視半円形のものである。ステップ板２の部分には前述した孔１２が設けられ、壁体３の部分には孔２０が設けられている。孔１２の部分には図４に示すようなレール１４が取付けられ、孔２０には空気抜き２１が取付けられる。なお、空気抜き２１を取付ける孔２０の位置は、実際には壁体３の端部近くになるが、分かり易いように壁体３の中央部に示してある。
【００２１】
壁体３は平面視同一の形状にしたものを２枚接合し、平面視が円形となるようにして使用する。２枚のうちの図８に示すものに接合される相手側のもの（図７における正面のもの）にドア４が取付けられることになる。２枚の壁体３の縁部には、接合を容易に行えるようにフック形状部３ａが形成されている。このフック形状部３ａにより、図９に示すように、２枚の壁体３をこの部分で互いに係合させるのみで接合ができることになる。
【００２２】
壁体３が合成樹脂で形成されているために先の実施の形態のもの（図１参照）より強度が大きいので、その内側の一部に取手２２を取付け、トイレ１内で姿勢を変えるときの安全性を確保することができる。取手２２としてはコ字状のものの両端部分にねじを切っておき、そのねじの部分を壁体３に設けた孔に通し、外部からナットで締めるのが簡単であるが、他の構造で取付けてもよい。空気抜き２１の取付構造は図１のものと同様である。
【００２３】
気体を充填することにより所定の形状となる屋根５には、図１０に示すように下部外周に壁体３への取付けに用いるフランジ５ａが形成されており、２枚の壁体３を接合して平面視円形となった部分に、このフランジ５ａを上方から挿入して取付けるようにしてある。なお、使用者の好みなどによって壁体３の上方が空いていてもよい場合には、この屋根５は取付けなくてもよい。
【００２４】
図７に示すように、屋根５にはソーラーシステムからなる照明灯２３を付けることもできる。これは、内部にソーラー電池を設けたもので、昼間時に発電した電力を夜間に消費するシステムである。
【００２５】
以上説明した実施の形態では、スライド板１３に溝１３ａを設け、ステップ板２側にレール１４を設けたが、この溝とレールの関係は逆にしてもよい。すなわち、スライド板１３の下面に突条を形成し、ステップ板２側にこの突条が嵌合する溝を設けてもよい。ただしこのようにした場合には、子供が孔に転落するのを防止するための何らかの措置が必要となる。
【００２６】
【発明の効果】
本発明は、以上説明したように構成された災害用仮設トイレであるから、請求項１に記載された発明によれば、風などの影響を受けることなく、マンホールがあるところなら、どこでも使用できるトイレを得ることができる。またステップ板に設けたスライド板によって、臭気が外部に発散するのを防ぐことが可能になる。また、レールがステップ板中央の孔の内部に突出しているので、孔の内部寸法がレールの部分で狭くなり、安全性を向上させることができる。
【００２７】
また請求項２に記載された発明によれば、壁体と屋根が空気入れで所定の形状に組み立てられることになるので作業が非常に容易である上に、非使用時には萎ませておくことができるから、収納容積が著しく小さくて済むことになる。また、レールがステップ板中央の孔の内部に突出しているので、孔の内部寸法がレールの部分で狭くなり、安全性を向上させることができる。
【００２８】
また請求項３に記載された発明によれば、ステップ板と壁体とは一体構造であることから組み立てが容易な上に、保管時には重ねることができるので保管性と運搬性に優れる。また出入り口が壁体にヒンジで取付けられるドアであることから、開閉が確実で、風などにも影響を受けない構造とすることができる。また、レールがステップ板中央の孔の内部に突出しているので、孔の内部寸法がレールの部分で狭くなり、安全性を向上させることができる。
【図面の簡単な説明】
【図１】本発明の実施の形態の一例を一部断面で示す斜視図である。
【図２】図１の壁体およびこれと一体の屋根の部分に気体を充填したときの概念図であり、気体を充填した部分に斜線を付して示してある。
【図３】図１のもののステップ板と気体を充填した状態の壁部の一部とその周辺部分を示す断面図である。
【図４】図３のうちのステップ板を上方から見た平面図である。
【図５】図１中のスライド板の詳細を示す拡大斜視図である。
【図６】壁体の一部に取付ける空気抜きの斜視図である。
【図７】本発明の実施の形態の他の例を一部断面で示す斜視図である。
【図８】図７のものの壁板を示す斜視図である。
【図９】壁体のフック形状部を拡大して示した平面図である。
【図１０】図７のうちの屋根の構造を示す断面図である。
【符号の説明】
１  トイレ
２  ステップ板
３  壁体
３ａ  フック形状部
４  ドア
５  屋根
６  マンホール
１２  孔
１３  スライド板
１４  レール
【図１】
0004025900.tif 000002
【図２】
0004025900.tif 000003
【図３】
0004025900.tif 000004
【図４】
0004025900.tif 000005
【図５】
0004025900.tif 000006
【図６】
0004025900.tif 000007
【図７】
0004025900.tif 000008
【図８】
0004025900.tif 000009
【図９】
0004025900.tif 000010
【図１０】
0004025900.tif 000011